(57)【要約】【課題】大径管状部材を小径杆状部材に装着する際、両部材が周方向、及び軸方向に緩み難い連結構造を備えた釣竿を提供する。【解決手段】本発明の釣竿は、小径の突出部２１の外面２１Ａに嵌合する大径の元竿管２を有する。元竿管２は、環状内面２２ｂと、環状内面２２ｂと略垂直な第１の面２２ａとを具備する段差部２２を有し、突出部２１は、第１の面２２ａと対向するように外面２１Ａから径方向外方に立ち上がる第２の面２１ａ´を有する。そして、第１の面２２ａと第２の面２１ａ´との間には柔軟部材２５が配設され、元竿管２を突出部２１の外面２１Ａに嵌合した際、柔軟部材２５は、第１の面２２ａと第２の面２１ａ´の押圧力を受けて変形し、環状内面２２ｂ、及びそれに対向する突出部２１の外面２１Ａに圧接する。【選択図】図３
2008295386.tif 000002
【特許請求の範囲】
【請求項１】
小径杆状部材の外面に嵌合する大径管状部材を有する釣竿において、
前記大径管状部材は、環状内面と、該環状内面と略垂直な第１の面とを具備する段差部を有し、
前記小径杆状部材は、前記第１の面と対向するように前記外面から径方向外方に立ち上がる第２の面を有し、
前記第１の面と第２の面との間には柔軟部材が配設され、
前記大径管状部材を小径杆状部材の外面に嵌合した際、前記柔軟部材は、前記第１の面と第２の面の押圧力を受けて変形し、前記大径管状部材の環状内面、及びそれに対向する前記小径杆状部材の外面に圧接することを特徴とする釣竿。
【請求項２】
前記小径杆状部材と大径管状部材は、螺子部とナット部による締め付け構造によって嵌合され、
前記螺子部に螺合されるナット部の締め付けによって、前記柔軟部材を、前記大径管状部材の環状内面、及びそれに対向する前記小径杆状部材の外面に圧接するように変形させることを特徴とする請求項１に記載の釣竿。
【発明の詳細な説明】
【技術分野】
【０００１】
本発明は、大径管状部材を小径杆状部材に嵌合する際、両部材の嵌合状態の向上が図れる連結構造に特徴を有する釣竿に関する。
【背景技術】
【０００２】
従来、釣竿には、大径管状部材を小径杆状部材に対して嵌合し、両部材を着脱する部分が存在している。例えば、並継式の釣竿であれば連続する２本の竿杆同士、あるいは元竿に対する尻栓部分、あるいは元竿と先竿を連結するジョイント構造など、一方の部材（大径管状部材）を他方の部材（小径杆状部材）に、圧入、捩じ込み等によって着脱する部分が各種存在している。
【０００３】
そして、上記したような着脱部分（連結構造とも称する）には、緩みを防止したり、シール性を向上するように、ゴムなどの柔軟性を有する部材によって形成されたＯリングを介在することが行われている。例えば、特許文献１には、元竿の後端部（大径管状部材）に形成された雌螺子部に対し、雄螺子部が形成された尻栓（小径杆状部材）を着脱可能にする構成が開示されており、元竿の後端部と尻栓の前端部との間にＯリングを介在することで、尻栓の緩みを防止するようにしている。すなわち、尻栓を元竿の後端部に螺合した際、Ｏリングによる摩擦力が生じ、尻栓の緩みが防止されるようになっている。
【特許文献１】特開２００４−２５４６２３号
【発明の開示】
【発明が解決しようとする課題】
【０００４】
ところで、上記したように、Ｏリングを、大径管状部材の端面と小径杆状部材の端面との間に介在する従来の緩み防止構造では、周方向の緩みを効果的に防止できても、着脱部分によっては、軸方向の緩みやガタツキを併せて防止することはできない。また、通常、実施されているように、防水性の向上を図るために、大径管状部材の端面と小径杆状部材との間の嵌合領域の適所にＯリングを介在するだけでは、両部材の充分な緩み防止効果を期待することはできない。
【０００５】
本発明は、上記した問題に着目してなされたものであり、大径管状部材を小径杆状部材に装着する際、両部材が周方向、及び軸方向に緩み難い連結構造を備えた釣竿を提供することを目的とする。
【課題を解決するための手段】
【０００６】
上記した目的を達成するために、本発明に係る釣竿は、小径杆状部材の外面に嵌合する大径管状部材を有する構成において、前記大径管状部材は、環状内面と、該環状内面と略垂直な第１の面とを具備する段差部を有し、前記小径杆状部材は、前記第１の面と対向するように前記外面から径方向外方に立ち上がる第２の面を有し、前記第１の面と第２の面との間には柔軟部材が配設され、前記大径管状部材を小径杆状部材の外面に嵌合した際、前記柔軟部材は、前記第１の面と第２の面の押圧力を受けて変形し、前記大径管状部材の環状内面、及びそれに対向する前記小径杆状部材の外面に圧接することを特徴とする。
【０００７】
上記した構成の釣竿では、大径管状部材と小径杆状部材を嵌入するに際し、大径管状部材を小径杆状部材の外面に嵌合して行くと、最初に柔軟部材が嵌入方向に圧縮され、段差部に形成された第１の面に圧接する。そして、この圧接により、柔軟部材は、嵌入方向と直交する方向に広がるようになり、段差部の環状内面、及びそれに対向する前記小径杆状部材の外面に圧接される。
【０００８】
このため、柔軟部材の第１の面の圧接により、周方向のガタツキが抑制され、かつ環状内面、及びそれに対向する前記小径杆状部材の外面に対する圧接により、軸方向のガタツキが効果的に抑制されるようになる。また、段差部の略垂直となった第１の面、環状内面及びそれに対向する前記小径杆状部材の外面に柔軟部材が圧接することで、シール効果が高められる。
【発明の効果】
【０００９】
本発明によれば、大径管状部材を小径杆状部材に装着する際、両部材が周方向、及び軸方向に緩み難い連結構造を備えた釣竿が得られる。
【発明を実施するための最良の形態】
【００１０】
以下、本発明の第１の実施の形態を、図１から図４を参照して説明する。
これらの図において、図１は、釣竿の一例である２本継の船竿の全体構成を示す図、図２は、元竿から先竿を取り外した状態を示す図、図３は、先竿の基端領域に形成された突出部を元竿に嵌入した状態を示す断面図、そして、図４は、ナット部材を締め付けた状態を示す断面図である。
【００１１】
本実施形態に係る釣竿Ｒは、元竿１に対して、以下に詳述する連結構造２０によって先竿３０を着脱可能に装着する構成となっている。
【００１２】
元竿１は、繊維強化樹脂等によって形成された管状の元竿管（大径管状部材）２を備えており、この元竿管２の外周面には、後部グリップ３、補強管４および尻栓５が取り付けられている。
【００１３】
前記後部グリップ３は、例えばＥＶＡ、ゴム状弾性体、コルクあるいは発泡性樹脂材料のような柔軟な材料で形成されており、釣人が手で把持し易いような円筒状に形成されている。前記補強管４は、後部グリップ３の後方に位置する元竿管２の後半部を保護するためのものであり、この元竿管２の後半部を外側から覆っている。前記尻栓５は、元竿管２の後端に取り付けられており、その前方には落下防止用のラインを連結するためのリング５ａが取り付けられている。
【００１４】
また、前記元竿管２の先端領域には、魚釣用リール８０を着脱するリール固定装置７が取り付けられている。このリール固定装置７は、例えば、ステンレス、アルミニウム合金、チタンあるいは真鍮のような金属材料又はＡＢＳ樹脂やナイロンのような合成樹脂材料で形成され、前記元竿管２の外周に取着された中空円筒状のリールシート本体７Ａを備えている。
【００１５】
前記リールシート本体７Ａは、魚釣用リール８０のリール脚を載置する載置面７ａを具備しており、その両端には、リール脚を固定するための固定フード７ｂ及び移動フード７ｃが設置されている。
【００１６】
前記固定フード７ｂは、例えばステンレス、アルミニウム合金、チタンあるいは真鍮のような金属材料又はＡＢＳ樹脂やナイロンのような合成樹脂材料により一体形成されており、リールシート本体７Ａの後端部において接着等の手段により強固に固定されている。また、固定フード７ｂには、リールシート本体７Ａの先端に向けて開口（リール受け入れ開口）が形成されており、この部分にリール脚の一端が嵌入される。
【００１７】
前記移動フード７ｃは、例えばステンレス、アルミニウム合金、チタンあるいは真鍮のような金属材料又はＡＢＳ樹脂やナイロンのような合成樹脂材料により一体形成されており、固定フード７ｂと向かい合うとともに、固定フード７ｂに向けて開口（リール受け入れ開口）が形成されている。また、元竿管２の前端領域には、雄螺子部２ａを有する筒体が嵌入されており、この部分には、前記移動フード７ｃを軸方向に沿って移動させるナット７ｄが螺合されている。すなわち、ナット７ｄを雄螺子部２ａに対して回転操作することで、移動フード７ｃを軸方向に移動させ、載置面７ａに載置されて固定フード７ｂに嵌入されたリール脚の固定、及び取り外しを行うことが可能となっている。なお、前記雄螺子部２ａは、元竿管２の前端領域の表面に一体形成しても良い。
【００１８】
上記した元竿１に対して、着脱可能に嵌合される前記先竿３０は、竿杆３１及び前部グリップ３２を有している。
【００１９】
竿杆３１は、例えば繊維強化樹脂製（中空体、中実体、或いは、これらの組み合わせでも良い）であり、その外周面には釣糸をガイドする複数の釣糸ガイド３３が固定されている。釣糸ガイド３３は、竿杆３１の外周に対して後部から穂先に向けて互いに間隔を有して一列に並ぶように取着されている。また、前部グリップ３２は、竿杆３１の後端部の外周面に取り付けられており、上記した後部グリップ３と同様の柔軟な材料で造られており、釣人が手で把持し易いような円筒状に形成されている。
【００２０】
なお、本実施の形態の竿杆３１は、その先端が穂先となっているが、このような形態に限らず、例えば３本以上の継ぎ竿の構成としても良い。また、本実施の形態では、竿杆３１の外周面に釣糸ガイド３３を固定しているが、例えば釣糸ガイド３３を軸方向に移動可能としたり、あるいは竿管の内側に釣糸を通す中通し方式としても良い。
【００２１】
そして、上記した構成の先竿３０は、小径杆状部材として、連結構造２０によって、大径管状部材である元竿１に着脱可能に嵌合する構成となっている。
【００２２】
ここで、図２及び図３を参照して、連結構造２０の構成について説明する。
前記連結構造２０は、前記先竿３０側の基端部に取着され、軸方向に延出する突出部２１と、前記元竿１側に形成された段差部２２と、柔軟部材２５とを有している。
【００２３】
前記突出部２１は、元竿１の元竿管２の先端側から内部に挿入されるものであり、その外面２１Ａには、前記雄螺子部２ａに螺合されるナット部２３が設けられている。このナット部２３は、突出部２１の外面２１Ａに形成された一対の環状突起２１ａ，２１ｂの間に嵌り込んで抜け止めされると共に、回転操作可能となっている。すなわち、ナット部２３を上記した元竿管２の前端領域に形成された雄螺子部２ａに対して締め付けて行くことで、突出部２１は、螺進して図示されていない突き当て部に当接し、先竿３０は元竿１に対して固定される。この場合、突出部２１の先端と突き当て部は、凹凸等により、回り止めされた状態で突き当てられるように構成されている。
【００２４】
なお、環状突起２１ａの元竿管側の面２１ａ´は、後述する段差部の第１の面と対向すると共に、外面２１Ａに対して径方向外方に立ち上がる対向面（第２の面）を構成する。
【００２５】
前記段差部２２は、元竿１の先端に形成されており、互いに略垂直となる第１の面２２ａと、環状内面２２ｂとを備えている。本実施形態では、段差部２２は、元竿管２の先端縁と、元竿管２に外嵌される雄螺子部２ａの先端側の内周面によって形成されている。
【００２６】
そして、前記段差部２２の第１の面２２ａと、前記突起２１ａの嵌入方向側（元竿側）の第２の面２１ａ´との間には、前記柔軟部材２５が配置されている。この柔軟部材２５は、合成ゴム、天然ゴム、シリコン、熱可塑性エラストマー等、柔軟性を有する変形可能な材料によって形成されており、Ｏリング状に形成されている。この柔軟部材２５は、図４に示すように、突出部を元竿管２の先端に挿入し、ナット部２３を締め付けて行くことで段差部２２と係合し、前記第１の面２２ａ及び第２の面２１ａ´からの押圧力を受けて軸方向に変形する（圧縮変形）と共に、そのまま垂直方向（径方向）に変形し、前記環状内面２２ｂ、及びそれに対向する突出部２１の外面２１Ａに圧接し、螺子部２ａを押し上げるような力を作用させる。
【００２７】
以上のような連結構造２０によれば、先竿３０を元竿１に装着するに際し、その構成部材である突出部２１を元竿管２の先端に挿入し、ナット部２３を締め付けて両者を嵌め込んで行くと、最初に柔軟部材２５が段差部２２の第１の面２２ａに当接し、第１の面２２ａと第２の面２１ａ´との間で圧縮されるようになり、引き続き、この圧縮により、柔軟部材２５は、嵌入方向と直交する方向に広がって段差部２２の環状内面２２ｂ、及びそれに対向する突出部２１の外面２１Ａに圧接される。
【００２８】
このため、柔軟部材２５の第１の面２２ａ及び第２の面２１ｂ´に対する圧接により、周方向のガタツキが抑制されるようになり、かつ環状内面２２ｂ及び外面２１Ａに対する圧接により、軸方向のガタツキが抑制されるようになる。さらに、段差部２２に形成される略垂直の２つの面２２ａ，２２ｂ、及びこれらに対向する２つの面２１ａ´，２１Ａに対して、柔軟部材２５が圧接することで、密着性が高まりシール効果が高められる。
【００２９】
また、本実施形態では、柔軟部材２５の変形（第１の面２２ａに圧接した後の変形による環状内面２２ｂの面に対する圧接）は、螺子による締め付け構造によって成されることから、柔軟部材２５をより強固に圧接、変形させることができるようになり、嵌め合い継合力（軸方向の継合力）の向上が図れるようになる。
【００３０】
図５及び図６は、本発明の第２の実施形態を示す図であり、図５は、釣竿の構成部材である尻栓部分の構成を示す断面図、図６は、元竿に対して尻栓を装着した状態を示す断面図である。
【００３１】
この実施形態では、小径杆状部材である尻栓４０を、大径管状部材である元竿５０に装着する部分に、上記した実施形態と同様な連結構造２０Ａを採用している。
【００３２】
具体的には、尻栓４０に雄螺子部４１が形成されており、元竿５０には、尻栓が螺合される雌螺子部５１が形成されている。元竿５０には、雌螺子部５１よりも奥側に段差部５２が形成されており、ここに上記した実施形態のように、第１の面５２ａ、及びこれと略直角となる環状内面５２ｂが一体形成されている。一方、尻栓４０には、雄螺子部４１よりも先端側に段差部４２が形成されており、この部分にリング状の柔軟部材２５Ａが設置されている。なお、この段差部４２は、前記段差部５２に対向するように、環状内面５２ｂと対向する外面４２Ａ、及び第１の面５２ａと対向する第２の面４２ａによって構成される。
【００３３】
このような構成においても、尻栓４０を元竿５０に装着するに際し、尻栓４０を締め付けて両者を嵌め込んで行くと、最初に柔軟部材２５Ａが第１の面５２ａに当接し、第２の面４２ａとの間で圧縮されるようになり、引き続き、この圧縮により、柔軟部材２５Ａは嵌入方向と直交する方向に広がって段差部５２の環状内面５２ｂ、及び尻栓４０の対向する外面４２Ａに圧接される。
【００３４】
これにより、小径杆状部材である尻栓４０の周方向のガタツキが抑制されるようになり、かつ軸方向のガタツキが抑制されるようになる。また、段差部５２に形成される略垂直の２面５２ａ，５２ｂに対して、及びこれらに対向する２つの面４２ａ，４２Ａに対して柔軟部材２５Ａが圧接することで、密着性が高まりシール効果が高められる。
【００３５】
また、本実施形態においても、柔軟部材２５Ａの変形は、螺子による締め付け構造によって成されることから、柔軟部材２５Ａをより強固に圧接、変形させることができるようになり、嵌め合い継合力（軸方向の継合力）の向上が図れるようになる。
【００３６】
図７及び図８は、本発明の第３の実施形態を示す図であり、図７は、釣竿を構成する大径竿杆と小径竿杆の継合部の構成を示す断面図、図８は、大径竿杆に対して小径竿杆を継合した状態を示す断面図である。
【００３７】
この実施形態では、並継式の釣竿を構成する小径竿杆（小径杆状部材）６０を、大径管状部材である大径竿杆７０に装着する部分に、上記した実施形態と同様な連結構造２０Ｂを採用している。
【００３８】
具体的には、大径竿杆７０の先端には、継合部として段差部７２が形成されており、ここに上記した実施形態のように、第１の面７２ａ、及びこれを略直角となる管状内面７２ｂが一体形成されている。一方、小径竿杆６０には、継合部として、前記第１の面７２ａに対向する第２の面６２ａ、及び小径竿杆の外面６２Ａによって構成される段差部６２が形成されており、この部分にリング状の柔軟部材２５Ｂが設置されている。
【００３９】
このような構成においても、小径竿杆６０を大径竿杆７０に装着するに際し、小径竿杆６０を大径竿杆７０に挿入して両者を嵌め込んで行くと、最初に柔軟部材２５Ｂが第１の面７２ａに当接し、第２の面６２ａとの間で嵌入方向に圧縮されるようになり、引き続き、この圧縮により、柔軟部材２５Ｂは、嵌入方向と直交する方向に広がって段差部７２の管状内面７２ｂ、及び小径竿杆６０の対向する外面６２Ａに圧接される。
【００４０】
これにより、小径杆状部材である小径竿杆６０の周方向のガタツキが抑制されるようになり、かつ軸方向のガタツキが抑制されるようになる。また、段差部７２に形成される略垂直の２面７２ａ，７２ｂ、及びこれらに対向する２つの面６２ａ，６２Ａに対して、柔軟部材２５Ｂが圧接することで、密着性が高まりシール効果が高められる。
【００４１】
以上、本発明の実施形態について説明したが、本発明は、上記した実施形態に限定されることはなく、種々変形することが可能である。上記した段差部を形成する第１の面と環状内面は、柔軟部材が一方の方向に圧接された際、径方向に広がって環状内面に圧接することで軸方向のガタツキが効果的に抑制できる程度であれば良く、両者は正確な垂直状態でなくても良い。また、上述したような連結構造は、釣竿を構成する部材において、嵌合装着が成される各所に適用することが可能である。
【図面の簡単な説明】
【００４２】
【図１】本発明に係る釣竿の一例である２本継の船竿の全体構成を示す図。
【図２】元竿から先竿を取り外した状態を示す図。
【図３】先竿の基端領域に形成された突出部を元竿に嵌入した状態を示す断面図。
【図４】ナット部材を締め付けた状態を示す断面図。
【図５】本発明の第２の実施形態を示す図であり、釣竿の尻栓部分の構成を示す断面図。
【図６】元竿に対して尻栓を装着した状態を示す断面図。
【図７】本発明の第３の実施形態を示す図であり、釣竿を構成する大径竿杆と小径竿杆の係合部の構成を示す断面図。
【図８】大径竿杆に対して小径竿杆を継合した状態を示す断面図。
【符号の説明】
【００４３】
１，５０  元竿
２  元竿管
２０，２０Ａ，２０Ｂ  連結構造
２１  突出部
２２，５２，７２  段差部
２２ａ，５２ａ，７２ａ  第１の面
２２ｂ，５２ｂ，７２ｂ  環状内面
２５，２５Ａ，２５Ｂ  柔軟部材
３０  先竿
４０  尻栓
６０  小径竿杆
７０  大径竿杆
Ｒ  釣竿
【図１】
2008295386.tif 000003
【図２】
2008295386.tif 000004
【図３】
2008295386.tif 000005
【図４】
2008295386.tif 000006
【図５】
2008295386.tif 000007
【図６】
2008295386.tif 000008
【図７】
2008295386.tif 000009
【図８】
2008295386.tif 000010